(57)【要約】  【課題】  防塵性と信頼性（長寿命化）と同時に、薄型化が可能になって、エレベータスイッチ等に最適なリーフスイッチを提供する。  【解決手段】  スイッチ作動操作により作動する接点操作体２と、この接点操作体２の作動により可動片を撓ませて、この可動片が有する可動接点Ｓを固定片の固定接点Ｔに接触させるスイッチ部１とを有するリーフスイッチであって、スイッチ部１が、可動片と固定片を互いに対向させて保持するモールド５からなる絶縁保持体を有し、接点操作体２は、その内部に可動片及び固定片が挿入される中空形状であり、接点操作体２を、その内部に可動片及び固定片を挿入した状態で絶縁保持体に回転可能に装着して構成してある。【選択図】  図５
2005353476.tif 000002
【特許請求の範囲】
【請求項１】
スイッチ作動操作により作動する接点操作体と、この接点操作体の作動により可動片を撓ませて、この可動片が有する可動接点を固定片の固定接点に接触させるスイッチ部とを有するリーフスイッチであって、
前記スイッチ部が、前記可動片と前記固定片とを互いに対向させて保持する絶縁保持体を有し、前記接点操作体は、その内部に前記可動片及び前記固定片が挿入される中空形状であり、前記接点操作体を、その内部に前記可動片及び前記固定片を挿入した状態で前記絶縁保持体に回転可能に装着して構成するようにしたことを特徴とするリーフスイッチ。
【請求項２】
前記絶縁保持体に断面円形状のスイッチ側ジョイント部を形成すると共に、前記絶縁保持体に、前記スイッチ側ジョイント部の中心である接点操作体揺動中心に一致する支軸を設け、
前記接点操作体の開口部側に断面円弧形状の接点操作体側ジョイント部を設けると共に、前記接点操作体の両側部に前記接点操作体側ジョイント部の中心に一致する支承孔を有する一対の支持腕部を設け、
前記接点操作体側ジョイント部を前記スイッチ側ジョイント部に回転可能に嵌合すると共に、前記支承孔に前記支軸を回転可能に支承することで前記スイッチ部に前記接点操作体を装着するようにしたことを特徴とする請求項１に記載のリーフスイッチ。
【請求項３】
前記接点操作体の内面側に接点押圧部が突設してあり、前記可動接点と前記固定接点とが離間した中立状態で前記接点押圧部が前記可動片を押圧して、前記可動片を前記固定片側に所定量押し込んで、前記可動片にプリロードを与えるようにしたことを特徴とする請求項１又は請求項２に記載のリーフスイッチ。
【請求項４】
前記スイッチ部は、絶縁材のモールドに、接点を有するスイッチ接点片をインサートしたインサート成形により形成された同一構成の一方及び他方のスイッチ構造体で構成してあって、前記モールドは、その外面が断面半円形状の接点操作体嵌合部を有すると共に、その内面が合わせ面部にしてあり、前記モールド体の両側面部には断面半円形状の軸部がそれぞれ突設してあり、
前記一方及び他方のスイッチ構成体をそれぞれの前記合わせ面部で合わせ、前記接点操作体嵌合部で前記スイッチ側ジョイント部を形成し、前記軸部で前記支軸を形成し、前記スイッチ接点片の一方を前記可動片に、他方を前記固定片にそれぞれしたことを特徴とする請求項２又は請求項３に記載のリーフスイッチ。
【発明の詳細な説明】
【技術分野】
【０００１】
本発明は、エレベータスイッチ等の押釦スイッチの内蔵スイッチ等に用いられるリーフスイッチに関する。
【背景技術】
【０００２】
エレベータスイッチ等の押釦スイッチにおいて、押釦部の押込によりレバーリンクを作動させることでプランジャレバーを介して内蔵スイッチを作動させるものがある。この内蔵スイッチとしては、タクタイルスイッチが使用されていた（特許文献１参照）。しかし、このタクタイルスイッチは寿命が短い点や２極動作ができないという問題があり、このタクタイルスイッチに変えてリーフスイッチが使用されている。
【０００３】
従来より一般的に実用化されているリーフスイッチは、図１２に示すように、絶縁体等からなる取付部６０と、この取付部６０に固設された固定片６１及び、この固定片６１より板厚の薄い可動片６２によって構成されており、固定片６１と可動片６２のそれぞれの一端部には、リード線等をはんだ付け等によって取り付けるためのリード線取付部６３、６４が設けてあり、また、固定片６１と可動片６２の他端部側においては、互いに対向するように接点部６１Ａ、６２Ａがそれぞれ配設してある。また、可動片６２の他端部側の先端部には、押圧部材６５が配設してある。
【０００４】
このように構成された従来のリーフスイッチにおいては、押圧部材６５を、図１２において矢印Ｘ方向に押圧することで、可動片６２を湾曲させて、この可動片６２の接点６２Ａを固定片６１の接点部６１Ａに接触させることによって、固定片６１と可動片６２との間を導通させるようにしている（特許文献２参照）。
【特許文献１】特開平５−１８２５６０号公報
【特許文献２】特開平８−３３５４２５号公報
【発明の開示】
【発明が解決しようとする課題】
【０００５】
しかしながら、上記した従来のリーフスイッチにあっては、可動片６２、固定片６１がむき出しのために、リーフスイッチの内部に異物が入り易く、この異物が入り込むことにより接点障害を起こすなど防塵性と信頼性（長寿命化）に問題があった。
【０００６】
本発明は上記の問題に着目して成されたものであって、その目的とするところは、防塵性と信頼性（長寿命化）と同時に、薄型化が可能になって、エレベータスイッチ等に最適なリーフスイッチを提供することにある。
【課題を解決するための手段】
【０００７】
上記の目的を達成するために、本発明に係るリーフスイッチは、スイッチ作動操作により作動する接点操作体と、この接点操作体の作動により可動片を撓ませて、この可動片が有する可動接点を固定片の固定接点に接触させるスイッチ部とを有するリーフスイッチであって、スイッチ部が、可動片と固定片とを互いに対向させて保持する絶縁保持体を有し、接点操作体は、その内部に可動片及び固定片が挿入される中空形状であって、接点操作体を、その内部に可動片及び固定片を挿入した状態で絶縁保持体に回転可能に装着して構成するようにしたものである。
【０００８】
かかる構成により、スイッチ作動操作により接点操作体を回動させることで、接点操作体で可動片を押圧して、可動接点を固定接点に接触させてスイッチ部を作動させることができる。特に、接点操作体が、その内部に可動片及び固定片を挿入しているために、可動片、固定片がむき出しにならず、リーフスイッチの内部に異物が入ることがなく、この異物による接点障害の発生を無くすことができて、長寿命化を図ることができる。このように、防塵性と信頼性（長寿命化）と同時に、薄型化が可能になり、エレベータスイッチ等に最適なスイッチになる。
【０００９】
ここで、可動片と固定片とを互いに対向させて保持する絶縁保持体とは、例えば、絶縁材のモールドに、接点を有するスイッチ接点片をインサートしたインサート成形により形成された同一構成の一方及び他方のスイッチ構造体が該当し、接点操作体とは、例えば、平面視台形状（先細り形状）のキャップが該当する。
【００１０】
また、本発明に係るリーフスイッチは、上記した本発明に係るリーフスイッチにおいて、絶縁保持体に断面円形状のスイッチ側ジョイント部を形成すると共に、絶縁保持体に、スイッチ側ジョイント部の中心である接点操作体揺動中心に一致する支軸を設け、接点操作体の開口部側に断面円弧形状の接点操作体側ジョイント部を設けると共に、接点操作体の両側部に接点操作体側ジョイント部の中心に一致する支承孔を有する一対の支持腕部を設け、接点操作体側ジョイント部をスイッチ側ジョイント部に回転可能に嵌合すると共に、支承孔に支軸を回転可能に支承することでスイッチ部に接点操作体を装着するようにしたものである。
【００１１】
かかる構成により、スイッチ作動操作により接点操作体を、その接点操作体回動中心及び支軸を支点にして回動させることで、接点操作体で可動片を押圧して、可動接点を固定接点に接触させてスイッチ部を作動させることができる。
【００１２】
また、本発明に係る押釦スイッチは、上記した本発明に係る押釦スイッチにおいて、接点操作体の内面側に接点押圧部が突設してあり、可動接点と固定接点とが離間した中立状態で接点押圧部が可動片を押圧して、可動片を固定片側に所定量押し込んで、可動片にプリロードを与えるようにしたものである。
【００１３】
かかる構成により、スイッチ作動操作により接点操作体を、その接点操作体回動中心を支点にして回動させることで、接点操作体の内面部に設けた接点押圧部で可動片を押圧して、可動接点を固定接点に接触させてスイッチオンの状態にし、押し込み解除により、接点操作体が、可動片のスプリングバックにより接点操作体回動中心を支点にして逆方向に回動し、可動接点が固定接点から離れてスイッチオフの状態になる。このように、可動片の付勢力が、それ自体及び接点操作体の復帰用に用いられるために、リターンスプリングが不要になって、部品点数を少なくなるばかりか、薄型化が可能になる。
【００１４】
また、可動片にプリロードを与えることにより、固定片との設置位置（接点ギャップ）をコントロールできる。また、接点操作体の内面部に設けた接点押圧部で可動片を押圧するようにしてあるために、可動片が摩耗し難く寿命を延ばすことができる。
【００１５】
また、本発明に係る押釦スイッチは、上記した本発明に係る押釦スイッチにおいて、スイッチ部は、絶縁材のモールドに、接点を有するスイッチ接点片をインサートしたインサート成形により形成された同一構成の一方及び他方のスイッチ構造体で構成してあって、モールドは、その外面が断面半円形状の接点操作体嵌合部を有すると共に、その内面が合わせ面部にしてあり、モールドの両側面部には断面半円形状の軸部がそれぞれ突設してあり、一方及び他方のスイッチ構成体をそれぞれの合わせ面部で合わせ、接点操作体嵌合部でスイッチ側ジョイント部を形成し、軸部で支軸を形成し、スイッチ接点片の一方を可動片に、他方を固定片にそれぞれしたものである。
【００１６】
かかる構成により、スイッチ部は同一構成の一方及び他方のスイッチ構造体で構成してあって、一方及び他方のスイッチ構成体をそれぞれの合わせ面部で合わせ、接点操作体嵌合部でスイッチ側ジョイント部を形成し、軸部で支軸を形成し、スイッチ接点片の一方を可動片に、他方を固定片にそれぞれしたために、リーフスイッチの製作が容易になる。
【発明の効果】
【００１７】
本発明に係るリーフスイッチによれば、スイッチ作動操作により接点操作体を回動させることで、接点操作体で可動片を押圧して、可動接点を固定接点に接触させてスイッチ部を作動させることができる。特に、接点操作体が、その内部に可動片及び固定片を挿入しているために、可動片、固定片がむき出しにならず、リーフスイッチの内部に異物が入ることがなく、この異物による接点障害の発生を無くすことができて、長寿命化を図ることができる。このように、防塵性と信頼性（長寿命化）と同時に、薄型化が可能になり、エレベータスイッチ等に最適なスイッチになる。
【００１８】
また、本発明に係るリーフスイッチによれば、可動片にプリロードを与えることにより、可動片の付勢力が、それ自体及び接点操作体の復帰用に用いられるために、リターンスプリングが不要になって、部品点数が少なくなるばかりか、薄型化が可能になる。また、固定片との設置位置（接点ギャップ）をコントロールできる。また、接点操作体の内面部に設けた接点押圧部で可動片を押圧するようにしてあるために、可動片が摩耗し難く寿命を延ばすことができる。
【発明を実施するための最良の形態】
【００１９】
以下、本発明に係るリーフスイッチの実施の形態を、図面を参照して説明する。
【００２０】
図１はリーフスイッチの接点操作体側から見た斜視図、図２は同リーフスイッチの端子側から見た斜視図、図３は同リーフスイッチの分解状態の斜視図、図４は同リーフスイッチのスイッチ部の分解状態の斜視図、図５は図のＡ−Ａ線に沿う縦断面図である。
【００２１】
本発明に係るリーフスイッチは、図１乃至図３に示すように、スイッチ部１と接点操作体２とで構成してある。スイッチ部１は、一方のスイッチ構成体３と他方のスイッチ構成体４とを組み合わせて構成してある。
【００２２】
一方のスイッチ構成体３は、図４に示すように、絶縁保持体であるモールド５に一対のスイッチ接点片６をインサートしたインサート成形により形成してある。モールド５は、その外面が、断面半円形状の接点操作体嵌合部７と取付け面部８にしてあり、内面が合わせ面部９にしてある。そして、取付け面部８には、両側方に突出する取付部８ａが形成してある。
【００２３】
また、合わせ面部９には、図４に示すように、係止孔１０と係止突起部１１とが互いに離間して設けてある。また、モールド５の両側面部には断面半円形状の軸部１２がそれぞれ突設してあり、軸部１２の平坦面部１２ａは合わせ面部９と同一平面内に位置している。
【００２４】
一対のスイッチ接点片６は、金属製の板ばね材を打ち抜き加工により成形したものであり、その先端部が接点形成部１３にしてあり、この接点形成部１３には突起状の接点１４が設けてある。また、基端部はクランク形状に屈曲されてリード部１５にしてある。
【００２５】
他方のスイッチ構成体４は、一方のスイッチ構成体３と同構成である。このために、同じ符号を付して説明を省略する。
【００２６】
そして、一方のスイッチ構成体３の係止突起部１１を、他方のスイッチ構成体４の係止孔１０に挿入係止し、他方のスイッチ構成体４の係止突起部１１を、一方のスイッチ構成体３の係止孔１０に挿入係止して一方及び他方のスイッチ構成体３、４をそれぞれの合わせ面部９で合わせることでスイッチ部１が構成してある。
【００２７】
この場合、図３に示すように、断面半円形状の軸部１２はそれぞれの平坦面部１２ａで合わせてあって、断面円形状の支軸１６を形成している。また、一方及び他方のスイッチ構成体３、４のそれぞれの断面半円形状の接点操作体嵌合部７は断面円形状のスイッチ側ジョイント部１７を形成している。
【００２８】
また、スイッチ接点片６のリード部１５は、同一平面内に位置しているし、図５に示すように、一方のスイッチ構成体３のスイッチ接点片６が可動片になっていて、これの接点１４が可動接点Ｓにしてあり、また、他方のスイッチ構成体４のスイッチ接点片６が固定片になっていて、これの接点１４が可動接点Ｔにしてある。
【００２９】
また、接点操作体２は、図３に示すように、平面視台形状（先細り形状）のキャップ形状（中空形状）の接点操作体本体２Ａを有しており、この接点操作体本体２Ａの開口部１８側は接点操作体側ジョイント部１９にしてある。この接点操作体側ジョイント部１９は接点操作体本体２Ａの図３において上面部２ａを右方に突出させて、この突出部２０を断面円弧形状に形成し、また、接点操作体本体２Ａの図３において下面部２ｂを右方に突出させて、この突出部２１を断面円弧形状に形成して、両突出部２０、２１を向い合わせにして構成してある。
【００３０】
また、接点操作体本体２Ａの両側面部には支持腕部２２が設けてあり、これらの支持腕部２２は、接点操作体本体２Ａの両側面部に沿うようにしてあり、これらの支持腕部２２の先端部は接点操作体側ジョイント部１９の両側方に至っていて、それぞれの先端部には支承孔２３が形成してあり、接点操作体側ジョイント部１９の回転中心を通る軸線上に支承孔２３の中心が位置している。また、支持腕部２２の上縁部にはストッパー部２４が突設してある。
【００３１】
また、接点操作体本体２Ａの図３において上面部２ａの左端部には、その前後に一対の接触部２５が突設してある。また、接点操作体本体２Ａの図３において上面部２ａの内面側には、その前後に一対の接点押圧部２６が突設してある。
【００３２】
そして、接点操作体２を、その開口部１８に一方及び他方のスイッチ構成体３、４のそれぞれのスイッチ接点片６を挿入して、接点操作体側ジョイント部１９をスイッチ側ジョイント部１７に回転可能に嵌合し、また、支持腕部２２の支承孔２３に支軸１６を回転可能に支承することでスイッチ部１に接点操作体２が装着してある。この場合、図５に示すように、接点操作体側ジョイント部１９が回転可能に嵌合するスイッチ側ジョイント部１７の中心が接点操作体回動中心Ｒになる。
【００３３】
また、図１に示すように、支持腕部２２のストッパー部２４がスイッチ部１の上側の取付部の下面に当接した状態が、スイッチ部１の可動接点Ｓと固定接点Ｔとは互いに離間した中立状態であるが、この場合、図５に示すように、接点操作体２の一対の接点押圧部２６が可動片（一方のスイッチ構成体３のスイッチ接点片６）の先端部に当接して、これらの可動片を固定片（他方のスイッチ構成体４のスイッチ接点片６）側に所定範囲押し込みプリロードが与えてある。また、固定片の先端部は接点操作体２の接点押圧部２６とは反対側の接点操作体２の内面部に当接している。
【００３４】
次に、上記のように構成されたリーフスイッチの作動を説明する。
【００３５】
接点操作体２の一対の接触部２５を、例えば、スイッチ作動体（図示せず）で押圧してリーフスイッチを作動させる。すなわち、図５において、接点操作体２を、その接点操作体回動中心Ｒを支点にして反時計回り方向に回動させることで、接点操作体２の内面部に設けた一対の接点押圧部２６で可動片の先端部を押圧して、可動接点Ｓを、固定片に設けた固定接点Ｔに接触させてスイッチオンの状態になる。
【００３６】
また、スイッチ作動体による押圧が解除されると、接点操作体２が、スイッチ接点片６のスプリングバックにより、図５において、接点操作体回動中心Ｒを支点にして時計回り方向に回動し、接点押圧部２６による可動片の押圧を解除するようになる。このために、可動接点Ｓが固定接点Ｔから離れてスイッチオフの状態になる。
【００３７】
次に、上記したように構成されたリーフスイッチ３０をエレベータスイッチである押釦スイッチのスイッチ部として使用する場合について、図６乃至図１１に基づいて説明する。
【００３８】
押釦スイッチにおいて、図８に示すように、リーフスイッチ３０はベース３１の底面部３１Ａに設置される。また、リーフスイッチ３０が接続されたプリント基板組立体３２は底面部３１Ａのプリント基板組立体設置部３３に設置される。この場合、リーフスイッチ３０の取付部８ａが鈎形状の押え部３４で押えられ、リーフスイッチ３０のスイッチ部１の端部がストッパー３５に衝合する。また、プリント基板組立体３２に設けられたコネクタ３６はベース３１のコネクタ装着用開口部３１Ｃに位置するようになる。
【００３９】
また、ベース３１の底面部３１Ａの復帰ばね部材設置部３７には復帰ばね部材３８が設置してあり、ベース３１の反転部材保持部３９は、その一対の受け部４０と押え部４１とでワイヤーばね４２の保持部４２Ａを保持している。
【００４０】
また、ベース３１の底面部３１Ａのレバー部材設置部１３Ｂには一方及び他方のレバー部材５０Ｌ、５０Ｒが配置してある。すなわち、図８に示すように、一方のレバー部材５０Ｌは、その一対の支軸部４３をベース３１の底面部３１Ａに設けた一対のレバー支点掛け部４４Ａに回転可能に支承してあり、一方のレバー部材５０Ｌの揺動支点Ｑを構成している。また、他方のレバー部材５０Ｒは、その一対の支軸部４３をベース３１の底面部３１Ａに設けた一対のレバー支点掛け部４４Ｂに回転可能に支承してあり、他方のレバー部材５０Ｒの揺動支点Ｑを構成している。
【００４１】
そして、一方のレバー部材５０Ｌの一対のレバー部５０Ａ、５０Ｂの内端部に、他方のレバー部材５０Ｒの一対のレバー部５０Ａ、５０Ｂの内端部がヒンジピン４５で連結してあり、ヒンジピン４５はベース３１に設けられたヒンジ支点ガイド部４６のガイド溝部４７に摺動可能に挿入してある。これらの一方及び他方のレバー部材５０Ｌ、５０Ｒはレバーリンクを構成している。
【００４２】
そして、図９に示すように、他方のレバー部材５０Ｒの連結軸部４８に設けたばね受け部４９は復帰ばね部材３８の端部を受けており、また、一方のレバー部材５０Ｌの連結軸部４８に設けたスイッチ作動部５１がリーフスイッチ３０の接点操作体２に当接している。また、図８に示すように、一方のレバー部材５０Ｌのレバー部５０Ａ、５０Ｂの外端部のばね係止部５２にはワイヤーばね４２の両端の係止部４２Ｃが係止してある。
【００４３】
そして、押釦部を構成する文字板５３とキートップ５４とを取付けてユニット化された操作プランジャ５５は、照光部５６の上からベース３１内に挿入されていて、図８に示すように、操作プランジャ５５の一方の一対のレバー連結部５７が一方のレバー部材５０Ｌの連結軸部４８を回転可能に挟持しており、また、他方の一対のレバー連結部５７が他方のレバー部材５０Ｒの連結軸部４８を回転可能に挟持している。
【００４４】
また、図９に示すように、操作プランジャ５５に設けられたれレバー押圧部５８が、一方及び他方のレバー部材５０Ｌ、５０Ｒの連結軸部４８に設けられた当接部５９に当接している。
【００４５】
次に、上記のように構成された押釦スイッチの作動を説明する。
【００４６】
コネクタ３６を電源側に接続することによりリーフスイッチ３０に電源が供給される。
【００４７】
図１０及び図１１に示すように、押釦部のキートップ５４を指で押し込むことにより操作プランジャ５５が押し込まれると、レバー押圧部５８で一方及び他方のレバー部材５０Ｌ、５０Ｒの当接部５９が押圧されるために、一方のレバー部材５０Ｌは、その揺動支点Ｑである支軸部４３を中心に反時計回り方向に回動し、また、他方のレバー部材５０Ｒは、その揺動支点Ｑである支軸部４３を中心に時計回り方向に回動して、一方及び他方のレバー部材５０Ｌ、５０Ｒの折曲部に位置するヒンジピン４５はヒンジ支点ガイド部４６のガイド溝部４７内を上昇する。
【００４８】
この場合、復帰ばね部材３８は他方のレバー部材５０Ｒの連結軸部４８のばね受け部４９で押されて圧縮されると共に、一方のレバー部材５０Ｌの反時計回り方向の回動によりワイヤーばね４２が押される。
【００４９】
一方のレバー部材５０Ｌの反時計回り方向への回動により、一方のレバー部材５０Ｌの連結軸部４８に設けたスイッチ作動部５１がリーフスイッチ３０の接点操作体２の一対の接触部２５を押圧してリーフスイッチ３０を作動させる。
【００５０】
すなわち、図１１に示すように、リーフスイッチ３０において、接点操作体２を、その接点操作体回動中心Ｒを支点にして反時計回り方向に回動させることで、接点操作体２の内面部に設けた一対の接点押圧部２６で可動片となる一方のスイッチ構成体３のスイッチ接点片６の先端部を押圧して、可動接点Ｓを、固定片となる他方のスイッチ構成体４のスイッチ接点片６に設けた固定接点Ｔに接触させてスイッチオンの状態になる。
【００５１】
この場合、図１０及び図１１に示すように、一方のレバー部材５０Ｌの反時計回り方向の回動によりワイヤーばね４２が押されるが、一方のレバー部材５０Ｌのさらなる回動により、ワイヤーばね４２が押されて中立点を過ぎるとワイヤーばね４２が反転して、可動接点Ｓが固定接点Ｔに接触した時点でクリック感を生じさせる。
【００５２】
また、押釦部のキートップ５４の押圧を解除すると、復帰ばね部材３８のばね力が他方のレバー部材５０Ｌの左部位（連結軸部４８部分）を押し上げ、他方のレバー部材５０Ｒはその支軸部４３を中心に反時計回り方向に回動する。このために、一方のレバー部材５０Ｌは、他方のレバー部材５０Ｒに連動して、その支軸部４３を中心に時計回り方向に回動し、この一方のレバー部材５０Ｌに設けられたスイッチ作動部５１が上昇する。
【００５３】
このために、スイッチ作動部５１によるリーフスイッチ３０への押圧が解除される。このために、接点操作体２が、スイッチ接点片６のスプリングバックにより接点操作体回動中心Ｒを支点にして時計回り方向に回動し、接点押圧部２６による可動片の押圧を解除するようになる。このために、可動接点Ｓが固定接点Ｔから離れてスイッチオフの状態になる。
【００５４】
本発明の実施の形態によれば、スイッチ作動操作により接点操作体２を回動させることで、接点操作体２で可動片（一方のスイッチ構成体３のスイッチ接点片６）を押圧して、可動接点Ｓを固定片（他方のスイッチ構成体４のスイッチ接点片６）の固定接点Ｔに接触させてスイッチ部１を作動させることができる。特に、接点操作体２が、その内部に可動片及び固定片を挿入しているために、可動片、固定片がむき出しにならず、リーフスイッチの内部に異物が入ることがなく、この異物による接点障害の発生を無くすことができて、長寿命化を図ることができる。このように、防塵性と信頼性（長寿命化）と同時に、薄型化が可能になり、エレベータスイッチ等に最適なスイッチになる。
【００５５】
また、本発明の実施の形態によれば、接点操作体２の内面側に接点押圧部２６が突設してあり、可動接点Ｓと固定接点Ｔとが離間した中立状態で接点押圧部２６が可動片を押圧して、可動片を固定片側に所定量押し込んで、可動片にプリロードを与えることにより、スイッチ作動操作により接点操作体２を、その接点操作体回動中心Ｒを支点にして回動させることで、接点押圧部２６で可動片を押圧して、可動接点Ｓを固定接点Ｔに接触させてスイッチオンの状態にし、押し込み解除により、接点操作体２が、可動片のスプリングバックにより接点操作体回動中心を支点にして逆方向に回動し、可動接点Ｓが固定接点Ｔから離れてスイッチオフの状態になる。このように、可動片の付勢力が、それ自体及び接点操作体２の復帰用に用いられるために、リターンスプリングが不要になって、部品点数を少なくなるばかりか、リーフスイッチの薄型化を可能にする。
【００５６】
また、可動片にプリロードを与えることにより、固定片との設置位置（接点ギャップ）をコントロールできる。また、接点押圧部２６で可動片を押圧するようにしてあるために、可動片が摩耗し難く寿命を延ばすことができる。
【００５７】
また、本発明の実施の形態によれば、一方及び他方のスイッチ構成体３、４をそれぞれの合わせ面部９で合わせ、接点操作体嵌合部７でスイッチ側ジョイント部１７を形成し、軸部８で支軸１６を形成し、スイッチ接点片６の一方を可動片に、他方を固定片にそれぞれしたために、リーフスイッチの製作を容易にすることができる。
【００５８】
なお、上記した本発明の実施の形態では、一方及び他方のスイッチ構成体３、４のそれぞれのモールド５に一対のスイッチ接点片６をインサートして、一方のスイッチ構成体３のスイッチ接点片６を可動片にし、他方のスイッチ構成体４のスイッチ接点片６を固定片にした二極型にしたが、一方及び他方のスイッチ構成体３、４のそれぞれのモールド５に一つのスイッチ接点片６をインサートして、一方のスイッチ構成体３のスイッチ接点片６を可動片にし、他方のスイッチ構成体４のスイッチ接点片６を固定片にした一極型にしてもよい。
【産業上の利用可能性】
【００５９】
本発明に係るリーフスイッチは、スイッチ作動操作により接点操作体を回動させることで、接点操作体で可動片を押圧して、可動接点を固定接点に接触させてスイッチ部を作動させることができる。特に、接点操作体が、その内部に可動片及び固定片を挿入しているために、可動片、固定片がむき出しにならず、リーフスイッチの内部に異物が入ることがなく、この異物による接点障害の発生を無くすことができて、長寿命化を図ることができる。このように、防塵性と信頼性（長寿命化）と同時に、薄型化が可能になり、エレベータスイッチ等に最適なスイッチになるという効果を有しており、エレベータスイッチ等に用いられる押釦スイッチ等に有用である。
【図面の簡単な説明】
【００６０】
【図１】本発明に係るリーフスイッチの接点操作体側から見た斜視図である。
【図２】同リーフスイッチの端子側から見た斜視図である。
【図３】同リーフスイッチの分解状態の斜視図である。
【図４】同リーフスイッチのスイッチ部の分解状態の斜視図である。
【図５】図１のＡ−Ａ線に沿う縦断面図である。
【図６】押釦スイッチの斜視図である。
【図７】同押釦スイッチの分解状態の斜視図である。
【図８】同押釦スイッチにおいて押釦部を除いた一部省略した平面図である。
【図９】図６のＢ−Ｂ線に沿う縦断面図である。
【図１０】リーフスイッチのスイッチオフの状態の説明図である。
【図１１】リーフスイッチのスイッチオンの状態の説明図である。
【図１２】従来のリーフスイッチの側面図である。
【符号の説明】
【００６１】
Ｒ    接点操作体回動中心
Ｓ    可動接点
Ｔ    可動接点
１    スイッチ部
２    接点操作体
３    一方のスイッチ構成体
４    他方のスイッチ構成体
５    モールド（絶縁保持体）
６    スイッチ接点片
７    接点操作体嵌合部
８    取付け面部
９    合わせ面部
１０  係止孔
１１  係止突起部
１２  軸部
１４  接点
１５  リード部
１６  支軸
１７  スイッチ側ジョイント部
１９  接点操作体側ジョイント部
２２  支持腕部
２３  支承孔
２５  接触部
２６  接点押圧部
【図１】
2005353476.tif 000003
【図２】
2005353476.tif 000004
【図３】
2005353476.tif 000005
【図４】
2005353476.tif 000006
【図５】
2005353476.tif 000007
【図６】
2005353476.tif 000008
【図７】
2005353476.tif 000009
【図８】
2005353476.tif 000010
【図９】
2005353476.tif 000011
【図１０】
2005353476.tif 000012
【図１１】
2005353476.tif 000013
【図１２】
2005353476.tif 000014